(57)【要約】【課題】座る人の目線方向をある意図でコントロールでき、スペースが有効に活用でき、しかもプライバシーや個人情報が守れる連結椅子を提供すること。【解決手段】本発明の一例の連結椅子によれば、着座部及びこの着座部に対応して設けられた背もたれ部とを有する単位椅子が、複数個連結され、正面方向に対して前記単位椅子の方向が斜めに向けて連結されて成ることを特徴とする。【選択図】図１
2010246763.tif 000002
【特許請求の範囲】
【請求項１】
着座部及びこの着座部に対応して設けられた背もたれ部とを有する単位椅子が、複数個連結され、正面方向に対して前記単位椅子の方向が斜めに向けて連結されて成ることを特徴とする連結椅子。
【発明の詳細な説明】
【技術分野】
【０００１】
本発明は、銀行の受付の待ち合いスペースなどに設置される椅子に関する。
【背景技術】
【０００２】
従来、銀行の待ち合いスペースに設けられる、複数人が座る椅子としては、例えば特許文献１や特許文献２に示すように、椅子を横（左右）に並べて連結したものが知られている。
【０００３】
このような横連結椅子が銀行の受付の前の待ち合いスペースに設置される場合、通常、銀行の受付カウンタの正面に向かい合わせに設置されることが多い。このように設置されると、銀行の受付担当者及び受付担当者と話している顧客の様子がよく見える。
【０００４】
したがって、受付担当者と顧客の行動が見え過ぎて困る場合も多い。例えば、顧客がお金を出して受付担当者に渡す様子が、待ち合いスペースで椅子に座っている顧客からもよく見えることになり、プライバシーや個人情報の機密が守れない場合があった。このようなことを防ぐために最近では、受付中の担当者と顧客の様子が見えないように、顧客の後ろに衝立などを置くことが多くなっている。
【０００５】
しかし、このようにしても、横連結椅子の場合には、待っている顧客にとってまっすぐ前に向くと受付中の顧客が見えることがあり、不都合であった。
【０００６】
また、横連結椅子を設けると、椅子に座っている人が足を置くスペースの他に、その前を通る人のために通路となるスペースを設ける必要があり、必ずしもスペースを有効に使うことにはならなかった。
【０００７】
更に通常、横連結椅子の場合には、すぐ横に他人が座ることになるから、両側に他人が座った場合など隣に座っている人の手元にある通帳などの個人情報をのぞかれたり、圧迫感を感ずることが多かった。
【０００８】
更にまた、横連結椅子で各椅子の両側に肘掛けを設けると、隣の人が肘掛を使うので自分が使えなかったり、気にかける必要があることが多かった。
【先行技術文献】
【特許文献】
【０００９】
【特許文献１】特開２００４−５７５７２号公報
【特許文献２】特開平２−３１７１０号公報
【発明の概要】
【発明が解決しようとする課題】
【００１０】
上述のように、横連結椅子の場合には、銀行などで待っている顧客にとってまっすぐ前に向くと受付中の顧客が見えることがあり、プライバシーは個人情報が守れず、特に銀行などでは個人情報保護法の遵守が求められており不都合であった。また、横連結椅子を設けると、その前を通る人のためにスペースを設ける必要があり、必ずしもスペースを有効に使うことにはならなかった。更に横連結椅子では、すぐ真横に他人が座るので、目線方向を意図してコントロールする必要があった。
【００１１】
本発明は、上述のような従来の問題点を解決できる、すなわち、座る人の目線方向をある意図でコントロールでき、スペースが有効に活用でき、しかもプライバシーや個人情報が守れる連結椅子を提供することを目的とする。
【課題を解決するための手段】
【００１２】
本発明によれば、着座部及びこの着座部に対応して設けられた背もたれ部とを有する単位椅子が、複数個連結され、正面方向に対して前記単位椅子の方向が斜めに向けて連結されて成ることを特徴とする連結椅子が得られる。
【発明の効果】
【００１３】
本発明によれば、座る人の目線方向をある意図でコントロールでき、スペースが有効に活用でき、しかもプライバシーや個人情報が守れる連結椅子が得られる。したがって、本発明によれば顧客満足度の向上につながる効果も得られる。
【図面の簡単な説明】
【００１４】
【図１】本発明の第１の実施形態の連結椅子の斜視図である。
【図２】図１に示す本発明の第１の実施形態の連結椅子の上面図である。
【図３】本発明の第１の実施形態の連結椅子を銀行の待ち合いスペースに設けた場合の上面図である。
【図４】本発明の第２の実施形態の連結椅子の斜視図である。
【図５】図４に示す本発明の第２の実施形態の連結椅子の上面図である。
【図６】本発明の第２の実施形態の連結椅子を銀行の待ち合いスペースにおいた場合の上面図である。
【図７】本発明の第２の実施形態の連結椅子を、電車の駅のプラットホームに設けた場合の上面図である。
【発明を実施するための形態】
【００１５】
以下、本発明の実施形態について詳細に説明する。
【００１６】
＜第１の実施形態＞
図１に本発明の第１の実施形態の斜視図を示し、図２にこの実施形態の上面図を示す。この実施形態では３つの単位椅子１１ａ、１１ｂ、１１ｃが連結されている。
【００１７】
単位椅子１１ａは、人が座るための着座部１２ａと、座る人の背中に当接される背もたれ部１３ａと、座る人に対して、着座部１２ａと背もたれ部１３ａの右側に設けられる側板１４ａと、この側板１４ａに設けられ前記着座部１２ａを下方から支持する着座支持部１５ａと、側板１４ａに設けられ背もたれ部１３ａを後方から支持する背もたれ支持部１６ａとを有する。
【００１８】
単位椅子１１ｂは、単位椅子１１ａと同様に、人が座るための着座部１２ｂと、座る人の背中に当接される背もたれ部１３ｂと、着座部１２ｂと背もたれ部１３ｂの右側に設けられる側板１４ｂと、この側板１４ｂに設けられ前記着座部１２ｂを下方から支持する着座支持部１５ｂと、側板１４ｂに設けられ背もたれ部１３ｂを後方から支持する背もたれ支持部１６ｂとを有する。
【００１９】
単位椅子１１ｃも、単位椅子１１ａと同様に、人が座るための着座部１２ｃと、座る人の背中に当接される背もたれ部１３ｃと、着座部１２ｃと背もたれ部１３ｃの右側に設けられる側板１４ｃと、この側板１４ｃに設けられ前記着座部１２ｃを下方から支持する着座支持部１５ｃと、側板１４ｃに設けられ背もたれ部１３ｃを後方から支持する背もたれ支持部１６ｃとを有する。単位椅子１１ｃは更に、着座部１２ｃ及び背もたれ部１３ｃの左側に設けられる側板１７を有する。側板１４ａ，１４ｂ，１４ｃ，１７は、例えば木質パネルにより構成される。
【００２０】
着座支持部１５ａ，１５ｂ，１５ｃは、隣り合う側板間で適当な高さの位置に設けられた平板と、この平板の中央に縦に設けられた長方形の板から構成され、着座部１２ａ，１２ｂ，１２ｃを下から支持する。すなわち、着座部１２ａ，１２ｂ，１２ｃ各々はこれら長方形板の上に載置され、上方に取り外すことが可能となっている。勿論、着座支持部はこのような構造でなくてもよく、着座部を支持する機能を有するものであればよい。
【００２１】
隣り合う着座部１２ａ，１２ｂは側板１４ｂに対し、これらの着座部に座る人に対して前後にずれるように設けられている。隣り合う着座部１２ｂ，１２ｃは側板１４ｃに対し、これらの着座部に座る人に対して前後にずれるように設けられている。
【００２２】
例えば側板１４ｂは、着座部１２ａ、背もたれ部１３ａに対してほぼ直角に設けられているが、連結椅子全体としては、各単位椅子に座る人は斜め方向に向く。図２に示すように、連結椅子全体の向きは正面方向、すなわち前方Ａ方向に向いているが、例えば個々の単位椅子はＡ方向に対してθだけ右に傾いたＢ方向を向くことになる。
【００２３】
各側板１４ａ，１４ｂ，１４ｃ，１７の上部は、各単位椅子に座る人が立ち上がるときの支えとなると共に、座っているときの簡易な肘掛けとなる。
【００２４】
側板１４ａと側板１７は、各々、単位椅子１１ａに座る人、単位椅子１１ｃに座る人に専用の肘掛けとなる。側板１４ｂは、単位椅子１１ａに座る人及び単位椅子１１ｂに座る人に兼用の肘掛けとなるが、単位椅子１１ａに座る人には、側板１４ｂの上部の前方部分が使われ、単位椅子１１ｂに座る人には側板１４ｂの上部の後方部分が使われる。したがって、隣に座る人と肘がぶつかることは少なく、この肘掛けの使用に際して隣に座る人に気を使わなくてよい。
【００２５】
各着座部１２ａ，１２ｂ，１２ｃの上下の両面は、弾力性のある材料が設けられており、上下を反対にして（裏返して）、使用することができるように製造される。長期間使用され着座部の上部の弾力性がなくなってきたり、汚れてきたら、上下を変えてセットする。これにより、今まで下面になっていた弾力性ある部分を上面にして、再び座り心地のよい椅子にすることが可能となる。
【００２６】
また、各背もたれ部１３ａ，１３ｂ，１３ｃは、前方と後方の両面に弾力性ある材料が設けられ、前方と後方を逆にしてセットすることができるように作られている。したがって、各単位椅子の長期間の使用により背もたれ部の弾力性が失われてきたり汚れてきたら、その背もたれ部を前方と後方を逆にセットする。これにより、今まで後方に向いていた弾力性ある部分を前方に向けて、再び背もたれ心地のよい椅子とすることが可能となる。
【００２７】
上述の連結椅子を例えば銀行の待ち合いスペースに設置した場合の上面図を図３に示す。この図では、上記単位椅子１１ａ，１１ｂ，１１ｃが斜めに連結された連結椅子は、３組、直列に、銀行の入口３０に対して設けられている。受付カウンタ３５には、銀行の受付担当者３４と受付中の顧客３６が向かい合わせになって話をすることになる。
【００２８】
この場合、順番を待ってこれらの連結椅子の各々に座る人は、まっすぐ前を見ると、矢印３８の方向に向くことになり、直接、受付中の担当者３４及び顧客３６を見ることにはならない。またこのように、連結椅子に座る人の向く方向を銀行の出入口とは反対方向に向けておくと、受付を待って椅子に座っている人が銀行に入ってくる人を一斉に見るようなことは少なくなる。
【００２９】
また、連結椅子の各々の単位椅子の前には、点線で示す個別のスペースができる。各単位椅子を利用する人はこのスペースに足を置くことができる、これら連結椅子の前を通る人の邪魔にはならない。
【００３０】
なお、各単位椅子の向きを前方からどの程度斜め方向に向くようにするかは、隣り合う着座部の位置をその間に設けられる側板に対して、どの程度の距離を置いて前後に設けるかにより変えることができる。この距離が大きいほど、椅子に座った人が足を置いたり立ったり座ったりする個別スペースを大きく取ることが可能となる。この実施形態によれば、各単位椅子に座る人は、横に一列に並ぶことにはならないので、圧迫感から開放される。
【００３１】
本発明の上記実施形態によれば、銀行などでまっすぐ前を向いても受付を見ることがなく、椅子の前に座っている人が足を置くスペースを設ける必要がなく、また両側に他人が座ってもプライバシーや個人情報を保持することができ、側板を肘掛けとしても隣の人の使用を気にしなくてすむ連結椅子が得られる。
【００３２】
上記実施形態では、側板の上部を肘掛けと兼用としていたが、本発明において側板を肘掛けとして用いることは必ずしも必要ではない。
【００３３】
上記実施形態では、３つの単位椅子が斜めに連結された椅子について説明した。しかし、３つに限られず、２つまたは４つ以上斜めに連結される椅子にも本発明は適用できる。
【００３４】
上記実施形態では、単位椅子の境界となる側板は１枚により構成されていた、すなわち側板は隣接する単位椅子で共用とされ、単位椅子は固定連結であった。
【００３５】
しかし、単位椅子を各々独立に作成し、これらの単位椅子の側板に対して着座部を前後にずらせて固定することにより本発明の斜め方向にむく連結椅子を作成することも可能である。この場合、各単位椅子を固定連結することも、個別に切り離し可能に連結することも可能な、連結椅子が構成できる。
【００３６】
この実施形態の連結椅子は、側板に手を突いて立ち上がれるので、高齢者にも使いやすい。各席が側板により仕切られているので、中央付近の席にも自然に座ってもらえる。すぐ横に単位椅子を設けた通常の連結椅子を斜めに置いた場合に比べて狭いロビーでも斜めのレイアウトが可能である。斜めにレイアウトすることにより、カウンタラインへの目線を分散させることが可能となる。
【００３７】
この実施形態の連結椅子は、個別の単位椅子がジグザグになるので、同様の構造を有する連結椅子を背中合わせに設置することができる。また、単位椅子の境界に側板が設けられているので、隣の単位椅子を合わせて、荷物置きにされたり人が横になって寝られるようなことはない。
【００３８】
＜第２の実施形態＞
次に本発明の第２の実施形態について説明する。図４にこの第２の実施形態の斜視図を示し、図５にこの実施形態の上面図を示す。この実施形態では、２つの脚部４１の間で適当な高さに設けられた椅子支持体４２の上に、所定間隔をおいて、３つの単位椅子４３ａ、４３ｂ、４３ｃが、斜め方向に向けられて設けられる。図５に示すように、連結椅子全体は、椅子支持体４２に垂直な正面方向、すなわち前方Ａ方向に向くが、例えば個々の単位椅子はＡ方向に対してθだけ右に傾いたＢ方向を向くことになる。
【００３９】
単位椅子４３ａは、人が座るための着座部４４ａと、この着座部４４ａに一体とされ座る人の背中に当接される背もたれ部４５ａとを有する。
【００４０】
単位椅子４３ｂは、単位椅子４３ａと同様に、人が座るための着座部４４ｂと、この着座部４４ｂに一体とされ座る人の背中に当接される背もたれ部４５ｂとを有する。
【００４１】
単位椅子４３ｃも、単位椅子４３ａと同様に、人が座るための着座部４４ｃと、この着座部４４ｃに一体とされ座る人の背中に当接される背もたれ部４５ｃとを有する。
【００４２】
図示するように、着座部４４ａ，４４ｂ，４４ｃと背もたれ部４５ａ，４５ｂ，４５ｃは、例えばポリプロピレンによって座る人にフィットする曲面形状となるように製造される。背もたれ部４５ａ、４５ｂ、４５ｃの下部には、各々開口が設けられている。
【００４３】
着座部４４ａ，４４ｂ，４４ｃの中央には、椅子取付具４７ａ，４７ｂ，４７ｃが設けられ、これらにより着座部４４ａ，４４ｂ，４４ｃが、椅子支持体４２に取り付けられている。
【００４４】
上述の連結椅子を例えば銀行の待ち合いスペースに設置した場合の上面図を図６に示す。この図では、上記単位椅子４１ａ，４１ｂ，４１ｃが椅子支持体４２により斜めに連結された連結椅子は、３組、直列に、銀行の入口６０に対して設けられている。受付カウンタ６５には、銀行の受付担当者６４と受付中の顧客６６が向かい合わせになって話をすることになる。
【００４５】
この場合、順番を待ってこれらの連結椅子の各々に座る人は、まっすぐ前を見ると、自然と矢印６８の方向に向くことになり、直接、受付中の担当者６４及び顧客６６を見ることにはならない。またこのように、連結椅子に座る人の向く方向を銀行の出入口とは反対方向になるように単位椅子を向けておくと、受付を待って椅子に座っている人が銀行に入ってくる人を一斉に見るようなことは少なくなる。
【００４６】
また、連結椅子の各々の単位椅子の前には、点線で示す個別のスペースができる。このスペースにおいて各単位椅子を利用する人は足を置くことができるので、これら連結椅子の前を通る人の邪魔にはならない。
【００４７】
なお、各単位椅子４３ａ，４３ｂ，４３ｃの向きを前方からどの程度斜め方向に向くようにするかは、椅子取付具４７ａ，４７ｂ，４７ｃを調整することにより自由に決められる。特に図４及び図５に示すように、椅子取付具４７ａ，４７ｂ，４７ｃを、着座部４４ａ，４４ｂ，４４ｃが回転可能なように、それらの中央の１点において椅子支持体４２に取り付けておくと、各単位椅子の向く方向を容易に変えられる利点がある。またこの場合には、個別の単位椅子の向きを少し異なる方向にすることも可能となる。
【００４８】
なお、椅子取付具４７ａ，４７ｂ，４７ｃにより２点で椅子支持体４２に固定するようにすれば、各単位椅子を確実安定に固定することができる利点がある。
【００４９】
上記実施形態のように、着座部と背もたれ部をポリプロピレンにより一体として製造すれば、汚れにくく、汚れても汚れのふき取りが簡単でメンテナンスが容易である利点がある。
【００５０】
単位椅子の向きを前方から横に向けるほど、椅子に座った人が立ったり座ったりする個別スペースを大きく取ることが可能となる。この実施形態によれば、各単位椅子に座る人は、横に一列に並ぶことにはならないので、圧迫感から開放される。またこの実施形態によれば、単位椅子は着座部と背もたれ部が一体となった形状となっており、自由な姿勢で座ることが可能となり大きな開放感が得られる。
【００５１】
図７に、この実施形態の連結椅子が駅のホームに置かれた場合の様子を示す。図では、４つの連結椅子が２つずつ背中合わせで駅のプラットホーム７０上の中央部分に配設される。一列に並べられた２つの連結椅子の各単位椅子４３ａ，４３ｂ，４３ｃは、座る人７３が電車７１が入ってくる方向（矢印７２）に向くように設けられている。同様に、他の背中合わせの２つの連結椅子の各単位椅子４３ａ，４３ｂ，４３ｃは、電車が入ってくる方向（矢印７４）に向けられている。
【００５２】
この実施形態による連結椅子によれば、椅子に座っている人７３は、電車７１から降りてくる人と直接目を合わせることが少なくなる。また各単位椅子は電車が入ってくる方向に少し向けられているので、椅子に座っている人７３は電車が入ってくることを容易に知ることができ、座っている人の注意を喚起することができる。
【００５３】
本発明の第２の実施形態によれば、銀行などでまっすぐ前を向いても受付を見ることがなく、椅子の前に座っている人の足を置くスペースを設ける必要がなく、またプライバシーや個人情報を容易に守ることができ、更に開放感が得られる連結椅子が提供される。
【００５４】
この第２の実施形態では、背もたれ部には開口を有していた。しかし、本発明ではこの開口は必ずしも必要でない。
【００５５】
この第２の実施形態の連結椅子は、着座部や背もたれ部に手を突いて立ち上がれるので、高齢者にも使いやすい。各席が話されているので、中央付近の席にも自然に座ってもらえる。また、この実施形態の連結椅子は、すぐ横に単位椅子を設けた通常の連結椅子を斜めに置いた場合に比べて狭いロビーでも斜めのレイアウトが可能である。斜めにレイアウトすることにより、カウンタラインへの目線を分散させることが可能となる。
【００５６】
この実施形態の連結椅子は、同様の構造を有する連結椅子を背中合わせに設置することができる。また、単位椅子が離されているので、隣の単位椅子を合わせて、荷物置きにされたり人が横になって寝られるようなことはない。
【００５７】
本発明の実施形態による連結椅子を待合ロビーに設置すれば、カウンタ内部の作業風景を正視しないので、待たされ感、イライラ感を感じないで済む効果がある。
【００５８】
本発明による連結椅子は、銀行、病院、役所、ホテルのロビーや駅のプラットホームに設けられることができる。
【００５９】
上記第１および第２の実施形態では、３つの単位椅子が斜めに連結された椅子について説明した。しかし、３つに限られず、２つまたは４つ以上斜めに連結される椅子にも本発明は適用できる。
【００６０】
上述の実施形態に限られず、本発明は種々変形して実施することが可能であり、その技術思想の範囲内で本発明に含まれる。
【符号の説明】
【００６１】
１１ａ、１１ｂ、１１ｃ、４３ａ、４３ｂ、４３ｃ・・・単位椅子、
１２ａ、１２ｂ、１２ｃ、４４ａ、４４ｂ、４４ｃ・・・着座部、
１３ａ、１３ｂ、１３ｃ、４５ａ、４５ｂ、４５ｃ・・・背もたれ部、
１４ａ、１４ｂ、１４ｃ、１７・・・側板、
１５ａ、１５ｂ、１５ｃ・・・着座支持部、
１６ａ、１６ｂ、１６ｃ・・・背もたれ支持部、
３０、６０・・・入口、
３５、６５・・・受付カウンタ、
３４、６４・・・担当者、
３６、６６・・・顧客、
４１・・・脚部、
４２・・・椅子支持体、
４６ａ，４６ｂ，４６ｃ・・・開口、
４７ａ，４７ｂ，４７ｃ・・・椅子取付具、
７０・・・プラットホーム、
７１・・・電車、
７２，７４・・・電車の進行方向。
【図１】
2010246763.tif 000003
【図２】
2010246763.tif 000004
【図３】
2010246763.tif 000005
【図４】
2010246763.tif 000006
【図５】
2010246763.tif 000007
【図６】
2010246763.tif 000008
【図７】
2010246763.tif 000009